(57)【特許請求の範囲】
【請求項１】
太陽電池アレイの故障，その他の不具合の有無を検査する検査装置であって、検査ユニ
ットを有してなり、該検査ユニットは、切換部と検査実施部と制御部とを、少なくとも備えており、
該切換部は、該太陽電池アレイのストリングとパワーコンディショナ間のケーブル接点を、常時閉の続から開の断に切換え可能であり、
該検査実施部は、該ストリングに対し入力信号を印加可能であると共に、該ストリングからの応答である出力信号を実測可能であり、
該制御部は、
検査開始条件が満たされると、該切換部を切換え動作させてから、該検査実施部に検査を実施させ、もって、該入力信号と出力信号とを検査データとして比較して、該ストリングの故障，その他の不具合の有無を判別し検査結果を得るものであって、
該検査実施部を制御して所定時間ごとに検査を実施させ、該ストリングの複数断線の有無を判別し、
該所定時間経過後に新たに１つの不具合を検知した場合には故障と判定し、
該所定時間経過後に新たに複数断線を検知した場合には盗難と判定し、
該検査装置は、更に、該検査ユニットを統括するセンター制御ユニットを、有し、
該センター制御ユニットは、該検査ユニットの制御部に対し、検査指示信号および一般補正データを送信可能であり、一般補正データは、ストリング一般について、各種構成内容および各種設置環境とそれらの影響との組合せを、汎用モデル化した一般的データよりなり、
該検査ユニットの制御部では、該センター制御ユニットから受信した一般補正データと、入力されていた検査対象の該ストリングの具体的な構成内容および設置環境の個別データ要素と、に基づき該ストリングの個別補正データが予め演算されており、
該検査ユニットの制御部は、この個別補正データにて検査データの前記出力信号を自動補正して、検査結果を判別し、
該検査ユニットは、該検査実施部の検査機能を自己診断可能となっており、
この自己診断は、該検査ユニットの制御部にて実施され、該検査実施部の印加部と実測部との間において、該ストリングを対象とした前記入力信号や出力信号の送受信を行うことなく、直接相互間で疑似信号を送受信せしめて、両者の入出力信号の比較が行われ、
この自己診断の結果が、該センター制御ユニットへ送信されることを特徴とする太陽電池アレイの検査装置。
【請求項２】
請求項１において、該検査ユニットの制御部は、検査結果を含む検査データを、該センター制御ユニットに送信可能であり、
該センター制御ユニットは、受信した検査結果を含む検査データを、管理すると共に一般補正データを蓄積するデータベースに反映すること、を特徴とする太陽電池アレイの検査装置。
【請求項３】
請求項２において、該センター制御ユニットは、検査対象の該太陽電池アレイの顧客に対し、検査結果を報告する結果報告部を備えていること、特徴とする太陽電池アレイの検査装置。
【発明の詳細な説明】
【技術分野】
【０００１】
本発明は、太陽電池アレイの検査装置に関する。すなわち、太陽電池アレイについて、故障，その他の不具合の有無を検査する、検査装置に関するものである。
【背景技術】
【０００２】
《技術的背景》
太陽光発電システム（ＰＶ）は、最近、設置件数が増加し、大量普及時代へと突入している。
そして機械的動作部分がなく、当初は、設置後２０年程度はメンテナンスフリーで使用可能とされていた。しかしながら実際は、設置後数年もしない内から、故障，その他の不具合発生が報告されており、その早期発見が要請されている。
すなわち、太陽光発電システムの太陽電池アレイ、その構成要素であるストリングそしてモジュールについて、断線，クラック，ハンダ不良等が発生し、発電量が低下することが多々あった。その要因としては、経年劣化、施工不良、台風・地震・小動物による被害、等々が考えられる。
いずれにしても、このような故障，その他の不具合発生の早期発見、つまり性能低下したストリングの早期診断が、最近大きなテーマとなってきている。早期発見，早期診断できれば、その修理等の対策を即取ることが可能となる。
【０００３】
《従来技術》
このような太陽電池アレイの検査方式としては、まず、ストリング出力端からの電流や電圧をテスターで測定し、もって、故障，その他の不具合を発見する検査方式が挙げられる。
これに対し最近、太陽電池アレイ専用の検査装置も開発，使用されている。例えば、ストリング端子に入力信号を印加すると共に、ストリングからの応答である出力信号を実測し、両信号の波形比較等により、故障，その他の不具合を発見せんとする検査装置も、実用化されている。
【先行技術文献】
【特許文献】
【０００４】
このような検査装置としては、例えば、次の特許文献１，特許文献２に示されたものが挙げられる。
【特許文献１】特開２０１１−３５０００号公報
【特許文献２】特開２００９−２１３４１号公報
【発明の概要】
【発明が解決しようとする課題】
【０００５】
ところで、このような従来技術については、次の課題が指摘されていた。
《第１の問題点》
第１に、上述した従来の検査方式や検査装置は、いずれも検査員が、検査対象の太陽電池アレイが設置されている現地に出向き、検査員の人手により実施される。もって時間や労力を要し、人件費が嵩みコスト高となる、という問題が指摘されていた。
すなわち、検査員が現地に行って、太陽電池アレイとパワーコンディショナ間のブレーカーを、常時の続から断に切替えた後、テスターや検査装置をセットして、検査チェックが実施されていた。もって、現地への往復も含め検査に時間がかかり、検査員の労力が嵩んでいた。
そこで、検査員が例えば１日に検査できる太陽電池アレイの数は限られており、処理件数が少なく、各太陽電池アレイを頻度高く検査することは困難視されていた。
このような検査頻度の制約に鑑み、故障，その他の不具合が発生した太陽電池アレイが、そのまま長期間放置されてしまうことが多々あった。出力低下や運転停止が、早期発見されることなく長期化し、本来得られるべき発電量が得られず無駄になり、トータル的損失が大きいという指摘があった。
【０００６】
《第２の問題点》
第２に、従来の検査装置において、検査結果を含め検査データは、数値やグラフのモニタリング表示や、プリントアウト表示されるに止まっていた。検査員は、このような表示に基づき、太陽電池アレイの顧客に検査結果を別途手段を用いて報告しており、検査作業は通常これで終了していた。
このような実情に鑑み、各太陽電池アレイの検査結果や検査データを、センター的に集計するためには、更なる別途手段と工数，労力を要していた。
すなわち、検査結果や検査データを記憶して一元的に集計，管理，活用するデータベースを構築するためには、専用の制御手段への入力作業を、検査員が、検査終了後その都度行うことを要していた。もって、その為の工数，労力が必要となり、この面からも人件費が嵩みコスト高となっていた。
他方、検査装置では前述したように、出力信号と入力信号との比較が行われる。そして、この出力信号は、検査対象となった太陽電池アレイのストリングの構成内容や設置環境の影響を受けるので、比較に先立ちこの面を補正しておくことを要する。
このような補正用の一般補正データが、検査装置にデータベースとして組み込まれていたと仮定しても、実際の具体的構成内容や設置環境の個別データ要素は、検査員が現地で検査の都度、入力することを要することになる。もってこの面からも、工数，労力が必要となり、人件費が嵩みコスト高となってしまう。
【０００７】
《本発明について》
本発明の太陽電池アレイの検査装置は、このような実情に鑑み、上記従来技術の課題を解決すべくなされたものである。
そして本発明は、第１に、検査が自動化され、コスト面に優れると共に、第２に、検査データ等を管理すると共に一般的補正データを蓄積するデータベースを、容易に構築可能な、太陽電池アレイの検査装置を提案することを、目的とする。
【課題を解決するための手段】
【０００８】
《各請求項について》
このような課題を解決する本発明の技術的手段は、特許請求の範囲に記載したように、次のとおりである。
請求項１については、次のとおり。
請求項１の太陽電池アレイの検査装置は、太陽電池アレイの故障，その他の不具合の有無を検査する。そして検査ユニットを有してなり、該検査ユニットは、切換部と検査実施部と制御部とを、少なくとも備えている。
該切換部は、該太陽電池アレイのストリングとパワーコンディショナ間のケーブル接点を、常時閉の続から開の遮断に切換え可能である。該検査実施部は、該ストリングに対し入力信号を印加可能であると共に、該ストリングからの応答である出力信号を実測可能である。
該制御部は、検査開始条件が満たされると、該切換部を切換え動作させてから、該検査実施部に検査を実施させる。もって、該入力信号と出力信号とを検査データとして比較して、該ストリングの故障，その他の不具合の有無を判別し検査結果を得ること、を特徴とする。
【０００９】
請求項２については、次のとおり。
請求項２の太陽電池アレイの検査装置では、請求項１において、該検査開始条件は、外部入力される検査指示，日没検出，タイマ設定時刻について、選択されたいずれか、又はこれらの組み合わせよりなること、を特徴とする。
請求項３については、次のとおり。
請求項３の太陽電池アレイの検査装置では、請求項２において、該検査装置は、更に、該検査ユニット統括用のセンター制御ユニットを、有してなる。
該センター制御ユニットは、該検査ユニットの制御部に対し、検査指示信号および一般補正データを送信可能である。一般補正データは、ストリング一般について、各種構成内容および各種設置環境とそれらの影響との組合せを、汎用モデル化した一般的データよりなる。
そして、該検査ユニットの制御部では、該センター制御ユニットから受信した一般補正データと、入力されていた検査対象の該ストリングの具体的な構成内容および設置環境の個別データ要素と、に基づき該ストリングの個別補正データが、予め演算されている。
そこで、該検査ユニットの制御部は、この個別補正データにて検査データの前記出力信号を自動補正して、検査結果を判別すること、を特徴とする。
請求項４については、次のとおり。
請求項４の太陽電池アレイの検査装置では、請求項３において、該検査ユニットの制御部は、検査結果を含む検査データを、該センター制御ユニットに送信可能である。そして、該センター制御ユニットの制御部は、受信した検査結果を含む検査データを、管理すると共に一般補正データを蓄積するデータベースに反映すること、を特徴とする。
請求項５については、次のとおり。
請求項５の太陽電池アレイの検査装置では、請求項４において、該センター制御ユニットは、検査対象の該太陽電池アレイの顧客に対し、検査結果を報告する結果報告部を備えていること、特徴とする。
【００１０】
請求項６については、次のとおり。
請求項６の太陽電池アレイの検査装置は、太陽電池アレイの故障，その他の不具合を検査する。そして検査ユニットと、該検査ユニット統括用のセンター制御ユニットとを、有している。
該検査ユニットの切換部は、検査開始条件が満たされると、該ストリングとパワーコンディショナ間のケーブル接点を、常時閉の続から開の遮断に切換え可能である。該検査ユニットの検査実施部は、検査開始条件が満たされると、該太陽電池アレイのストリングに対し入力信号を印加可能であると共に、該ストリングからの応答である出力信号を実測可能である。
該検査開始条件は、検査指示，日没検出，タイマ設定時刻について、選択されたいずれか、又はこれらの組み合わせよりなる。
そして、該センター制御ユニットは、検査指示信号を送信可能であると共に、一般補正データを蓄積可能である。この一般補正データは、ストリング一般について、各種構成内容および各種設置環境とそれらの影響との組合せを、汎用モデル化した一般的データよりなる。
該センター制御ユニットでは、この一般補正データと、入力されていた検査対象の該ストリングの具体的な構成内容および設置環境の個別データ要素と、に基づき該ストリングの個別補正データが、予め演算されている。
もって、該センター制御ユニットは、該検査ユニットの検査実施部から送信されてきた、該ストリングへの入力信号と該ストリングからの出力信号とを検査データとして比較して、該ストリングの故障，その他の不具合の有無を判別し検査結果を得る。その際、個別補正データにて出力信号を自動補正して、検査結果を判別する。
更に、該センター制御ユニットは、検査結果を含む検査データを、管理すると共に一般補正データを蓄積するデータベースに反映し、かつ、検査対象の該太陽電池アレイの顧客に対し検査結果を報告すること、特徴とする。
【００１１】
請求項７については、次のとおり。
請求項７の太陽電池アレイの検査装置は、請求項３又は６において、該検査ユニットは、該検査実施部の検査機能を自己診断可能となっている。
この自己診断は、該検査ユニットの制御部にて実施される。そして、該検査実施部の印加部と実測部との間において、該ストリングを対象とした前記入力信号や出力信号の送受信を行うことなく、直接相互間で疑似信号を送受信せしめて、両者の入出力信号の比較が行われる。そして、この自己診断の結果は、該センター制御ユニットへ送信されること、を特徴とする。
【００１２】
《作用等について》
本発明は、このような手段よりなるので、次のようになる。
（１）本発明の検査装置の検査ユニットは、太陽電池アレイが設置された現地に設けられ、センター制御ユニットは、離隔して設けられる。
（２）そして、検査開始条件が満たされると、検査ユニットにて検査が自動的に実施される。
（３）まず、切換部が開の断に切換えられ、検査実施部にて検査が実施され、検査対象のストリングについて信号の入出力が行われる。
（４）そして第１例では、検査ユニットの制御部において信号比較が行われ、第２例では、センター制御ユニットの制御部において信号比較が行われる。もって、ストリングの故障，その他の不具合の有無が判定され、検査結果が得られる。その際、一般補正データと個別データ要素とに基づく個別補正データにて、信号補正が行われる。
（５）それから、第１例では、検査ユニット側からセンター制御ユニット側へ、検査結果を含む検査データが送信される。これに対し第２例では、判定に先立ち、検査ユニットからセンター制御ユニットへ、検査データが送信される。
（６）センター制御ユニットの制御部は、検査結果を含む検査データを、データベースに管理すると共に、一般補正データを蓄積するデータベースに反映する。
（７）そして、顧客への検査結果の報告が行われる。
（８）さてそこで、本発明の太陽電池アレイの検査装置は、次の効果を発揮する。
【発明の効果】
【００１３】
《第１の効果》
第１に、検査が自動化され、コスト面に優れている。
本発明の太陽電池アレイの検査装置では、前述したこの種従来技術のように、検査員が太陽電池アレイが設置された現地に出向いて検査を実施するのではなく、検査は自動化されて実施される。
すなわち本発明では、検査開始条件が満たされると、自動的に検査ユニットの切換部が切換えられて、検査実施部にて検査が実施され、もってストリングの故障，その他の不具合の有無が判別されて、検査結果が得られる。その際、検査対象のストリングの具体的構成内容や設置環境に基づく補正も、行われる。
このように、従来技術では時間や労力を要し、人件費が嵩みコスト高となっていた太陽電池アレイの検査が、自動的にコスト面に優れて安価に実施できる。
【００１４】
そして、従来技術のような検査頻度の制約がなくなり、頻度高く必要に応じ自在に太陽電池アレイを検査可能となる。従って、故障，その他の不具合が発生した太陽電池アレイのストリングを、早期診断，早期発見でき、そのまま長期間放置されるような事態発生は回避される。
性能低下，出力低下，運転停止等が、早期診断により自動的に早期発見されるので、容易に修理等の対策ステップへと進むことが可能となる。もって、本来得られるべき発電量への早期回復が実現され、その分、発電量のロスが少なくなり損失削減が達成される。なお本発明では、検査員が現地に出向かないことに鑑み、検査ユニット自体が自己診断機能を備えており、検査実施部の性能維持、そして自動検査の精度サポート，信頼性確保が図られている。
【００１５】
《第２の効果》
第２に、検査結果を含む検査データを管理すると共に一般補正データを蓄積するデータベースを、容易に構築可能である。
本発明の太陽電池アレイの検査装置では、センター制御ユニットにおいて、検査結果を含む検査データが、一元管理用のデータベースに自動的に反映されて活用されると共に、一般補正データを蓄積するデータベースにも、自動的に反映されて活用される。
前述したこの種従来技術のように、この種のデータベース構築のために、別途手段と工数，労力を要し、検査員がその為の入力作業を検査の都度要していたのに比し、自動化の意義は大きい。この面からも、人件費が削減されコスト面に優れている。
【００１６】
ところで、この種の検査は、検査対象となる太陽電池アレイのストリングの構成内容の影響や、設置環境の影響を受ける。そこで本発明では、センター制御ユニットのデータベースに蓄積された一般補正データと、予め入力されていた実際の具体的な個別データ要素と、に基づき個別補正データが演算され、検査対象に適切に対応すべく、検査データを自動的に補正する。
又その際、従来技術のように、検査員がその都度、個別データ要素を入力することを要しない。本発明では、個別データ要素は設置時等に予め入力され、個別補正データも予め演算されている。これらの面からも、自動化の意義は大きく、工数，労力そして人件費が削減され、コスト面に優れている。
このように、この種従来例に存した課題がすべて解決される等、本発明の発揮する効果は、顕著にして大なるものがある。
【図面の簡単な説明】
【００１７】
【図１】本発明に係る太陽電池アレイの検査装置について、発明を実施するための形態の説明に供し、（１）図は、全体の回路ブロック図、（２）図は、検査ユニットの回路ブロック図である。
【図２】同発明を実施するための形態の説明に供し、（１）図は、検査ユニットの構成ブロック図、（２）図は、センター制御ユニットの構成ブロック図である。
【図３】同発明を実施するための形態の説明に供し、（１）図は、検査プロセスの一例のフローチャートであり、（２）図は、盗難検知ルーチンのフローチャートである。
【図４】太陽光発電システムの一例の斜視説明図である。
【発明を実施するための形態】
【００１８】
以下、本発明を実施するための形態について、詳細に説明する。
《太陽光発電システム１について》
まず、本発明の前提となる太陽光発電システム（ＰＶ）１の概要について、図４を参照して説明する。
太陽光発電システム１の主要部を構成する直流側の太陽電池アレイ２は、屋根等の屋外に設置される。そして、（図示例では４本の）ストリング３が並列配設されており、各ストリング３は、それぞれ直列接続された（図示例では６個の）モジュール４を、備えている。
太陽電池アレイ２で発電，出力された電力、すなわち、モジュール４のｐｎ接合部の光電効果に基づき生成された直流電流は、各ストリング３毎にケーブル５にて（図１の（１）図も参照）、中継端子箱６を経由して、パワーコンディショナ７に達する。
パワーコンディショナ７で直流電流から変換された交流電流は、分電盤８を経由した後、負荷９にて消費される。なお余剰電力は、電力計１０を介し、電力会社の商用電力系統へと買取られる。なお、モジュール４がソーラーセルと称され、ストリング３がソーラーパネル，ソーラーモジュールと称されることもある。
太陽光発電システム１の概要については、以上のとおり。
【００１９】
《検査装置１１の概要》
以下、本発明について説明する。まず、本発明に係る太陽電池アレイ２の検査装置１１の概要について、図１，図２を参照して説明する。
本発明の検査装置１１は、太陽電池アレイ２の故障，その他の不具合の有無を検査し、太陽電池アレイ２が設置された現地に配設される検査ユニット１２と、現地とは離隔した管理場所に配設されるセンター制御ユニット１３とを、備えている。
検査装置１１の検査ユニット１２は、切換部１４，検査実施部１５，制御部１６，バッテリー１７，入力部１８，日没検知部１９，タイマ２０，通信部２１、等を備えている。
検査装置１１のセンター制御ユニット１３は、各検査ユニット１２の統括用として用いられ、制御部２２，入力部２３，通信部２４，結果報告部２５、等を備えている。
本発明の概要については、以上のとおり。以下、これらについて更に詳述する。
【００２０】
《検査ユニット１２の各部について》
まず、検査装置１１の検査ユニット１２の各部（制御部１６を除く）について、図１，図２を参照して説明する。
まず検査ユニット１２は、太陽電池アレイ２の各ストリング３とパワーコンディショナ７間に、各ストリング３毎にそれぞれ対応して、介装接続され，並設されている。図示例では、４本のストリング３に対応して、４個の検査ユニット１２が並設されている。
なお、図示例の検査ユニット１２は、中継端子箱６やパワーコンディショナ７と独立して設けられているが、このような図示例によらず、中継端子箱６内に収納してもよく、パワーコンディショナ７に付設してもよい。
【００２１】
検査ユニット１２の切換部１４は、ストリング３とパワーコンディショナ７間のケーブル５の接点を、常時閉の続から開の断に切換え可能となっている。
すなわち切換部１４は、このように機能するスイッチ２６を備えている。そしてスイッチ２６は、発電時には大電流が流れることに鑑み、大電流遮断用の真空リレー，ガス封入リレー，水銀リレー等が使用される。因に、図示例の太陽電池アレイ２の出力は、４．６ｋＷ、各ストリング３の出力は、１５０Ｖ×８Ａ＝１．２ｋＷ程度となっている。
切換部１４としては、このようなリレー接点のスイッチ２６を、リレーコイルの通電によりスイッチングさせる構成が、代表的である。
図中２７は、検査実施部１５用のスイッチである。このスイッチ２７は、上述によりスイッチ２６が開の断に切換わった後、ケーブル５への接続を常時開の断から閉の続に切換える。
このスイッチ２７は、Ｆａｉｌ  Ｓａｆｅのために設けられているが、図示によらず、これを設けない例も可能である。すなわち、ケーブル５に接続された検査実施部１５への回線が、検査実施部１５内で常時確実にオープンになっていれば、スイッチ２７は設ける必要はないが、万一故障により短絡した際に、太陽電池アレイ２側等のショート事故を防止すべく設けられている。
【００２２】
検査ユニット１２の検査実施部１５は、太陽電池アレイ２のストリング３に対し入力信号を印加可能であると共に、そのストリング３からの応答である出力信号を実測可能であり、印加部２８と実測部２９とを備えている。
検査実施部１５の印加部２８は、代表的にはパルスジェネレータよりなり、パルス波を生成して、検査対象のストリング３に対し入力信号として送信，印加する。実測部２９は、例えばオシロスコープよりなり、入力信号に対応してストリング３から反射，応答される出力信号を受信，実測する。このような検査実施部１５の具体的構成については、前述した従来技術の他、各種の公知例が知られている。
検査ユニット１２のバッテリー１７は、太陽電池アレイ２の非発電時に検査が実施されることに鑑み、設けられている。そして、太陽電池アレイ２の発電時に電力を蓄電しておき、検査時に、検査実施部１５，通信部２１，その他検査ユニット１２の各部に、電力を供給する。なおバッテリー１７は、各検査ユニット１２毎に設けてもよいが、各検査ユニット１２共通に設けるようにしてもよい。
検査ユニット１２の通信部２１は、センター制御ユニット１３の通信部２４との間で、信号等を送受信すべく用いられる。なお通信部２１は通常、各検査ユニット１２共通に設けられる。
通信部２１の通信方式としては、電話回線（含、インターネット），電力線（電力用電線に信号を乗せる方式），専用回線，その他の有線や無線、等が考えられる。勿論、センター制御ユニット１３の通信部２４がビジーではないことを確認後に、送受信が行われる。
検査ユニット１２の各部については、以上のとおり。
【００２３】
《検査ユニット１２の制御部１６について》
次に、検査装置１１の検査ユニット１２の制御部１６について、図２の（１）図等を参照して説明する。
検査ユニット１２の制御部１６は、代表的にはマイクロコンピュータよりなる。そして、そのＣＰＵが、格納されたプログラム（例えば、後述する図３の（１）図のフローチャートを参照）に基づき、順次経次的に以下に述べる手段として機能して、定められた処理を行う。なお制御部１６は、各検査ユニット１２毎に設けてもよいが、各検査ユニット１２共通に設けるようにしてもよい。
まず制御部１６は、検査開始条件が満たされると、切換部１４を切換え動作させてから、検査実施部１５に検査を実施させる。すなわち信号送出により、切換部１４のスイッチ２６を開の断にスイッチングさせた後、図示例ではスイッチ２７を閉の続にスイッチングさせる。それから、検査実施部１５の印加部２８や実測部２９を機能させる。
そして、これらのトリガーとなる検査開始条件は、外部入力される検査指示，日没検出，タイマ設定時刻について、選択されたいずれか、又はこれらの組み合わせよりなる。日没検出，タイマ設定時刻等については、日単位，週単位，又は月単位で、適用頻度が選択可能となっており、代表的には月１回程度に選択設定される。
【００２４】
このようなトリガーについて、更に詳述する。まず検査指示の信号は、センター制御ユニット１３から、その入力部２３，制御部２２，通信部２４等を介し、検査ユニット１２の制御部１６に、通信部２１を介して送信される。例えば、顧客の検査要請時や、センター制御ユニット１３側のメンテナンスニーズ時に、利用される。
日没検出は、検査ユニット１２に付設された日没検知部１９のセンサにて検出される。タイマ設定時刻は、制御部２２に付設されたタイマ２０にて設定されるが、勿論、制御部１６内蔵のタイマを、入力部１８にて設定するようにしてもよい。
ところで、検査実施時期については、太陽電池アレイ２の発電中でも可能ではあるが、発電中は前述したように大電流が流れており、もしも大電流が流れている時に、パワーコンディショナ７との間を閉の続から開の断にスイッチングすると、チャタリングによるサージ，電磁ノイズ，スイッチ２６接点不良、等々が発生し易くなり、太陽電池アレイ２や検査ユニット１２にダメージが発生し易くなる。そこで、検査実施のトリガーとしては、太陽電池アレイ２による発電が行われていない日没後の夜間が、最適である。
従って、上述した検査開始条件としては、日没検出や夜間のタイマ設定時刻が最適であり、検査指示については、日没検出やタイマ設定時刻とのアンド条件とするのがよい。
検査ユニット１２の制御部１６については、以上のとおり。
【００２５】
《センター制御ユニット１３，一般補正データＡ等について》
次に、検査装置１１のセンター制御ユニット１３について、図２の（２）図等を参照して説明する。
センター制御ユニット１３は、検査ユニット１２の制御部１６に対し、前述したように検査指示を送信可能であると共に、一般補正データＡを送信可能である。一般補正データＡは、太陽電池アレイ２のストリング３一般について、ａ．各種構成内容とその影響の組合せ、およびｂ．各種設置環境とその影響の組合せを、一般的にまとめて汎用モデル化したデータよりなる。
まず、センター制御ユニット１３の制御部２２は、代表的にはマイクロコンピュータよりなり、そのＣＰＵが、格納されたプログラムに基づき、順次経時的に所定手段として機能して、定められた処理を行う。そして、このような制御部２２に、一般補正データＡがデータベースとして格納されている。
【００２６】
一般補正データＡについて、更に詳述する。一般補正データＡは、まずａ．各種構成内容（一般データ要素）とその影響との組み合わせを、内容とする。
すなわち、データベース化された一般補正データＡでは、太陽電池アレイ２のストリング３について、まずａ．例えば、モジュール４の数，結線長，抵抗成分，付設回路（例えば逆流防止用ダイオードやサージ対策用アブソーバ）の有無，配線分岐の有無、等々の各種構成内容（一般データ要素）と、それらの影響との組み合わせが、パラメータとして汎用的に把握されている。
これと共に、一般補正データＡは、ｂ．各種設置環境（一般データ要素）とその影響との組合せを、内容とする。
すなわち、データベース化された一般補正データＡでは、太陽電池アレイ２のストリング３について、ｂ．例えば、緯度と経度に基づく季節毎の日照時間と照度差，高圧線や電波塔等の電磁場の存否，航空機や隣接ビルや落葉等の日照障害の存否、等々の各種設置環境（一般データ要素）と、これらの影響との組合せが、パラメータとして汎用的に把握されている。
センター制御ユニット１３，一般補正データＡ等については、以上のとおり。
【００２７】
《検査ユニット１２の制御部１６，個別補正データＣ等について》
次に、検査装置１１の検査ユニット１２の制御部１６について、図１の（１）図，図２の（１）図を参照して、更に説明する。
図示例の検査ユニット１２の制御部１６では、センター制御ユニット１３から受信した一般補正データＡと、検査対象の太陽電池アレイ２のストリング３に関するａ．具体的な構成内容およびｂ．設置環境の個別データ要素Ｂと、に基づき検査対象のストリング３の個別補正データＣが、検査に先立ち予め演算されている。
【００２８】
これらについて、更に詳述する。まず、検査ユニット１２の制御部１６には、センター制御ユニット１３の制御部２２から、通信部２４、通信部２１等を介し、一般補正データＡが、予め自動的に入力されて格納されている。
これと共に制御部１６には、検査対象のストリング３のａ．構成内容およびｂ．設置環境の具体的な個別データ要素Ｂも、予め入力されて格納されている。
前述した一般補正データＡが、各ストリング３に共通のデータ要素について、その影響の汎用的パラメータを内容とする（例えば結線長について、１ｍ，２ｍ，３ｍ，・・・の各長さ毎のパラメータ値を示す）のに対し、この個別データ要素Ｂは、検査対象となったストリング３について、実際の具体的なデータ要素（例えば結線長２ｍ）を内容とする。
そしてｂ．設置環境に関する個別データ要素Ｂは、設置された現地にて、検査員により入力部１８を利用して入力されるのに対し、ａ．構成内容に関する個別データ要素Ｂは、これによらず、検査ユニット１２の工場出荷時に入力部１８を利用して入力しておくことも可能である。
そして、検査ユニット１２の制御部１６では、一般補正データＡについて個別データ要素Ｂを検索子として検索，演算することにより、検査対象のストリング３の個別補正データＣが得られて（例えば結線長が２ｍなので、そのパラメータ値が判明）、メモリーされる。
【００２９】
さて、検査ユニット１２の制御部１６では、検査実施部１５の印加部２８からの検査対象のストリング３への入力信号と、同ストリング３からの実測部２９を経由した出力信号とが、検査データＤとして波形比較される。
ところで、このような検査データＤ比較には、正常時の出力信号と、検査時の出力信号とを、比較するケースも含まれる。すなわち本明細書において、ストリング３への入力信号と、ストリング３からの出力信号とを、比較するとの記載内容には、過去の正常時におけるストリング３からの出力信号（ストリング３への入力信号に対応し、同等と解される）と、実際の検査時におけるストリング３からの出力信号とを、比較するケースも、その一環として包含される。
もって、そのストリング３の故障，その他の不具合の有無が判定されて、検査結果Ｅが得られる。その際、本発明では、前述により予め得られていた個別補正データＣにて、検査データＤである出力信号が自動補正される。もって、このように補正された検査データＤに基づき、上述した比較，判別が行われて、検査結果Ｅが得られる。
そして、検査ユニット１２の制御部１６は、このように得られた検査結果Ｅを含む検査データＤを、通信部２１，通信部２４を介し、センター制御ユニット１３の制御部２２に送信する。
検査ユニット１２の制御部１６，個別補正データＣ等については、以上のとおり。
【００３０】
《センター制御ユニット１３への反映等について》
次に、検査装置１１のセンター制御ユニット１３への反映等について、図２の（２）図を参照して説明する。
センター制御ユニット１３の制御部２２は、上述により受信した検査結果Ｅを含む検査データＤを、データベースに記憶，管理すると共に、一般補正データＡを蓄積するデータベースに反映，更新する。
これらにより、検査対象の太陽電池アレイ２のストリング３について、例えば、最近実施された複数回の検査結果Ｅの傾向を、把握可能となる。又、一般補正データＡについても、そのパラメータを一層充実させることができる。
そして、センター制御ユニット１３の制御部２２は、検査対象の太陽電池アレイ２の使用者，管理者，所有者等の顧客に対し、検査結果Ｅを報告する結果報告部２５を備えている。結果報告は、例えば上述した最近の傾向と共に行われ、Ｅメール，ＦＡＸ，プリントアウトを利用して実施される。
センター制御ユニット１３への反映等については、以上のとおり。
【００３１】
《自己診断機能について》
次に、検査装置１１の検査ユニット１２の自己診断機能について、図２の（１）図を参照して説明する。
検査ユニット１２は、その検査実施部１５の検査機能を自己診断可能となっている。この自己診断は、検査ユニット１２の制御部１６にて、検査開始直前に実施される。
そして自己診断は、検査実施部１５の印加部２８と実測部２９との間において、太陽電池アレイ２のストリング３を対象とした前述した入力信号や出力信号の送受信を行うことなく、直接相互間で疑似信号を直接送受信せしめ、もって両者の入出力信号の比較が行われる。
【００３２】
このような自己診断機能について、更に詳述する。自己診断に際しては、検査実施部１５の印加部２８と実測部２９間を、直接接続すると共に、両者間で自己診断用の疑似信号を送受信させる。
そして制御部１６において、印加部２８への疑似入力信号と、実測部２９で受信，実測された印加部２８からの疑似出力信号とを、比較し、もって実測部２９更には印加部２８等について、故障，その他の不具合の有無が判別される。
このようにして、検査実施部１５の検査機能が、検査ユニット１２において自己診断可能となっている。自己診断の結果は、検査ユニット１２の制御部１６から、通信部２１，通信部２４を介し、センター制御ユニット１３の制御部２２へと送信される。
自己診断の結果、検査実施部１５に不具合が発見された場合は、センター制御ユニット１３の制御部２２から、検査ユニット１２の制御部１６に対し、直ちに検査中止信号が送出される。又、センター制御ユニット１３において、その旨の表示が実施され、その修理等の対策が取られることになる。
自己診断機能については、以上のとおり。
【００３３】
《検査装置１１の他の例について》
本発明に係る太陽電池アレイ２の検査装置１１は、以上説明した図示例（第１例）に限定されるものではなく、その他各種の例が可能である。例えば、次に述べる他の例（第２例）のように、構成することが考えられる。
すなわち、まず以上説明した図示例では、検査ユニット１２の制御部１６において、一般補正データＡと個別データ要素Ｂとに基づき、個別補正データＣが予め演算されて、メモリーされている。そして検査に際しては、検査ユニット１２の制御部１６において、ストリング３の入力信号と出力信号とを検査データＤとして比較して、検査結果Ｅを得ていた。
しかしながら、本発明の検査装置１１は、このような図示例（第１例）によらず、これらをすべて、センター制御ユニット１３の制御部２２にて実施するようにした、他の例（第２例）も可能である。
【００３４】
このような他の例について、更に詳述する。この例の検査装置１１では、センター制御ユニット１３の制御部２２において、一般補正データＡと、入力されていた検査対象の太陽電池アレイ２のストリング３の個別データ要素Ｂと、に基づき検査対象のストリング３の個別補正データＣが、予め演算されメモリーされている。
もって検査に際し、センター制御ユニット１３の制御部２２は、検査ユニット１２の検査実施部１５から、制御部１６，通信部２１，通信部２４等を介して送信されてきた、検査対象のストリング３の入力信号と出力信号とを検査データＤとして比較して、故障，その他の不具合の有無を判別し検査結果Ｅを得る。
そしてその際、メモリーしていた個別補正データＣにて、検査データＤの出力信号を補正して、検査結果Ｅが判別される。
ところで、この例の検査装置１１では、検査対象のストリング３の個別データ要素Ｂは、予め、センター制御ユニット１３の制御部２２にメモリーされている。そして少なくとも、ｂ．設置環境に関する個別データ要素Ｂは、検査に先立ち、例えば太陽電池アレイ２の設置時において、検査ユニット１３側からセンター制御ユニット２３の制御部２２へと送信されて、メモリーされている。
そしてａ．構成内容に関する個別データ要素Ｂも、これに準じるが、センター制御ユニット１３に付設された入力部２３を利用して、予め入力しておくことも考えられる。
なお、この例の検査装置１１において、その他の構成，機能等は、前述した図示例の検査装置１１において説明したところに準じる。例えば、検査開始条件，検査実施部１５，検査指示信号，一般補正データＡ，センター制御ユニット１３への反映，検査結果報告，自己診断機能，その他については、前述した図示例において説明したところに準じる。
他の例の検査装置１１については、以上のとおり。
【００３５】
《作用等》
本発明の太陽電池アレイ２の検査装置１１は、以上説明したように構成されている。そこで、その作用等は以下のようになる。図３の（１）図のフローも参照して説明する。
（１）本発明に係る検査装置１１の検査ユニット１２は、検査対象となる太陽電池アレイ２が設置された現地に、設けられている。太陽電池アレイ２の各ストリング３毎に、パワーコンディショナ７との間に、それぞれ検査ユニット１２が設けられている（図１の（１）図，図４を参照）。
これに対し、検査装置１１のセンター制御ユニット１３は、現地とは離隔した管理場所に設けられている（図１の（１）図を参照）。
【００３６】
（２）そして常時は、図３の（１）図のフローは、ステップＳ１の待機モードにある。これに対し、ステップＳ２において、検査指示，日没検出，タイマ設定時刻等の検査開始条件が満たされると、検査ユニット１２において、その制御部１６からの信号送出に基づき、検査が自動的に開始される（図２の（１）図を参照）。
【００３７】
（３）まず、図３の（１）図のステップＳ３において、検査ユニット１２の切換部１４が、開の断に自動的に切換えられてから、ステップ４に進み、検査ユニット１２の検査実施部１５にて、検査が自動的に実施され、検査対象の太陽電池アレイ２のストリング３に対し、信号の入出力が行われる（図１の（２）図、図２の（１）図を参照）。
【００３８】
（４）そして、検査ユニット１２の制御部１６において、検査データＤの信号比較が行われるか（図示例，第１例）、又は、センター制御ユニット１３の制御部２２において、検査データＤの信号比較が行われる（他の例，第２例）（図２の（１）図、（２）図を参照）。
もって、検査対象のストリング３の故障，その他の不具合の有無が、自動的に判定されて、検査結果Ｅが得られる。
その際、一般補正データＡと個別データ要素Ｂとに基づき演算された、個別補正データＣにて、検査データＤの信号補正が自動的に行われる。
【００３９】
（５）それから、図３の（１）図のステップＳ５へと進み、検査ユニット１２の制御部１６から、センター制御ユニット１３の制御部２２へ、検査結果Ｅを含む検査データＤが、送信される（図示例，第１例）（図２の（１）図，（２）図を参照）。
これに対し、センター制御ユニット１３の制御部２２にて、信号比較や信号補正が行われて検査結果Ｅが得られるケース（他の例，第２例）では、このような検査結果Ｅを含むデータの送信は行われず、代わりに、検査ユニット１２の検査実施部１５側からセンター制御ユニット１３の制御部２２へ、検査データＤが前もって送信される。
【００４０】
（６）さて、検査装置１１のセンター制御ユニット１３の制御部２２は、検査結果Ｅを含む検査データＤを、データベースに自動的に記憶，集計，管理すると共に、一般補正データＡを蓄積するデータベースに、自動的に分析，反映，更新する（図２の（２）図を参照）。
【００４１】
（７）そしてセンター制御ユニット１３の結果報告部２５が、顧客に対し検査結果Ｅを自動的に報告する。その際、最近実施された複数回の検査傾向も、同時に報告可能である（図２の（２）図を参照）。
【００４２】
（８）そして、図３の（１）図のフローは、ステップＳ６において、検査ユニット１２の制御部１６からの信号送出により、切換部１４のスイッチ２６が、常時の閉の続に切換えられる（図２の（１）図，（２）図を参照）。
なお、切換部１４のスイッチ２７は、前述したように、検査実施部１５のショート時において、太陽電池アレイ２側等の保護機能を、発揮すべく設けられている。しかしこれに加え、切換部１４のスイッチ２７は、更に、逆に太陽電池アレイ２の発電時において、検査実施部１５を保護する機能も、発揮する。
後者の機能の観点からは、検査終了後は、スイッチ２７の開つまり断を確認後に、上述したようにスイッチ２６を閉つまり続に戻すように、制御部１６にて制御するとよい。更に、同様の観点からは、スイッチ２７と検査実施部１５間に、逆流防止用のダイオードＤを設けておくとよい。
そしてステップ７に至り、本発明の検査装置１１による検査が終了し、フローはステップ１へとリターンする。因に、検査開始から検査終了まで、通常は１分未満で行われる。
本発明の作用等については、以上の通り。
【００４３】
《その他：盗難検知について》
ところで、本発明の太陽電池アレイ２の検査装置１１は、盗難検知にも適用可能である。この検査装置１１は、目的とする「不具合の有無の検査」の一環として、「盗難の有無の検知」にも使用可能である。
すなわち、検査ユニット１２の制御部１６に、盗難検知に特化したプログラムのルーチン（例えば図３の（２）図を参照）を格納し、もって制御部１６を、盗難検知のための手段として機能させ、所定処理を実施させることも可能である。
これにより、太陽電池アレイ２，ストリング３，モジュール４等の盗難検知を、自動的に即実現可能となる。
【００４４】
このような「盗難検知」について、図３の（２）図のフローを参照して、更に詳述する。まずステップＳ１０において、盗難検知モードがスタートする。
すなわち、検査ユニット１２の制御部１６について、検査開始条件に盗難検知モードが加えられている。そして、盗難検知モードの指示が、例えば入力部２３を介しセンター制御ユニット１３の制御部２２から、検査ユニット１２の制御部１６に送信されると、盗難検知モードがスタートする。
盗難検知モードでは、まずステップＳ１１で、検査実施部１５にて検査が実施されて、検査データＤが得られる。
しかる後、フローはステップＳ１２へと進み、制御部１６にて検査データＤに基づき、複数のストリング３について断線が発生したか否か、つまり複数断線の有無が、検査結果Ｅとして判別される（この場合、前述した故障，その他の不具合の有無が、複数断線の有無として特化されている）。
ステップＳ１２において、ストリング３複数断線無と判定された場合は、ステップＳ１３へと進み所定時間の経過を待つ。この所定時間は、例えば夜間の１０分間，２０分間，１時間，・・・等と設定され、所定時間を経過すると、フローはステップＳ１１へとリターンする（つまり、これにより夜間は、１０分毎，２０分毎，１時間毎，・・・毎に検査，判別が行われることになる）。
これに対しステップ１２において、ストリング３複数断線有と判定された場合は、ステップ１４そして１５へと進む。すなわち、複数断線有は盗難検知として、検査ユニット１２の制御部１６から、センター制御ユニット１３の制御部２２へ、その旨の信号が通報され、もって、その旨が結果報告部２５等を利用して、顧客へと通報される。
盗難検知については、以上のとおり。
【符号の説明】
【００４５】
１  太陽光発電システム
２  太陽電池アレイ
３  ストリング
４  モジュール
５  ケーブル
６  中継端子箱
７  パワーコンディショナ
８  分電盤
９  負荷
１０  電力計
１１  検査装置
１２  検査ユニット
１３  センター制御ユニット
１４  切換部
１５  検査実施部
１６  制御部
１７  バッテリー
１８  入力部
１９  日没検知部
２０  タイマ
２１  通信部
２２  制御部
２３  入力部
２４  通信部
２５  結果報告部
２６  スイッチ
２７  スイッチ
２８  印加部
２９  実測部
Ａ  一般補正データ
Ｂ  個別データ要素
Ｃ  個別補正データ
Ｄ  検査データ
Ｅ  検査結果
【図１】
0005463469.tif 000002
【図２】
0005463469.tif 000003
【図３】
0005463469.tif 000004
【図４】
0005463469.tif 000005